(57)【特許請求の範囲】
【請求項１】
縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画定する弾性ウエストパネルと、前記弾性ウエストパネルに取り付けられ、前記前後ウエスト域の一部および前記クロッチ域を画定するクロッチパネルとを含む使い捨て着用物品において、
前記クロッチパネルは、少なくとも前記横方向へ延びる前後端縁が、接合部を介して前記弾性ウエストパネルの前記非肌対向面にそれぞれ取り付けられ、
前記接合部は、前記クロッチパネルの両側縁に沿って延びる両側部位と、前記両側部位の間であって前記クロッチパネルの前後端縁に沿って延びる中央部位と、前記中央部位の前記縦方向内方に位置する非接合部位とを含み、
前記弾性ウエストパネルの前記肌対向面および前記非肌対向面の少なくともいずれか一方には、前記非接合部位に重なって配置された吸湿部材が取り付けられ、
前記吸湿部材は、不溶性の吸収性ポリマー粒子を含む芯材と、前記芯材を覆う被覆シートとを有し、
前記吸収性ポリマー粒子によって形成された複数の吸収領域を前記横方向に離間させて配置するとともに、前記吸収領域の間には、前記吸収性ポリマー粒子が存在しない非吸収領域を形成してあることを特徴とする前記使い捨て着用物品。
【請求項２】
前記クロッチパネルには、その両側部が前記横方向内方へ折り曲げられて、前記縦方向へ延びる一対のサイドフラップが形成され、前記吸湿部材は、前記一対のサイドフラップの間に配置される請求項１記載の使い捨て着用物品。
【請求項３】
前記サイドフラップには、前記縦方向へ収縮可能なレッグ弾性体が取り付けられる請求項２記載の使い捨て着用物品。
【請求項４】
前記弾性ウエストパネルは、前記肌対向面に位置する内面シートと、前記非肌対向面に位置する外面シートと、前記内外面シートの間に配置された防漏シートとを有し、前記吸湿部材は、前記防漏シートと重なる位置に配置される請求項１〜３のいずれかに記載の使い捨て着用物品。
【発明の詳細な説明】
【技術分野】
【０００１】
本発明は、使い捨て着用物品に関し、より詳しくは、クロッチパネルと弾性ウエストパネルとを有する使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、クロッチパネルと弾性ウエストパネルとを有する使い捨て着用物品は公知である。例えば、特許文献１には、前後ウエスト域を形成する弾性ウエストパネルと、クロッチ域を中心として前後ウエスト域に延びるクロッチパネルとを備える使い捨て着用物品が開示される。
【先行技術文献】
【特許文献】
【０００３】
【特許文献１】特開２００８−１７８６８２号公報
【発明の概要】
【発明が解決しようとする課題】
【０００４】
特許文献１に開示の着用物品によれば、ウエストパネルにクロッチパネルの一部が接合される。クロッチパネルでは、吸収性本体が構成され、トップシートと、吸収要素と、液不透過性シートとを有する。ウエストパネルにおいて、クロッチパネルが重なった部分では、液不透過性シートによって通気性が悪くなり、着用物品内が蒸れやすく、着用者の肌のかぶれ等の要因となりかねない。
【０００５】
本発明は、従来の着用物品の改良であって、蒸れ難くした使い捨て着用物品を提供することを課題とする。
【課題を解決するための手段】
【０００６】
本発明は、縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画定する弾性ウエストパネルと、前記弾性ウエストパネルに取り付けられ、前記前後ウエスト域の一部および前記クロッチ域を画定するクロッチパネルとを含む使い捨て着用物品の改良にかかわる。
【０００７】
本発明は、前記着用物品において、前記クロッチパネルは、少なくとも前記横方向へ延びる前後端縁が、接合部を介して前記弾性ウエストパネルの前記非肌対向面にそれぞれ取り付けられ、前記接合部は、前記クロッチパネルの両側縁に沿って延びる両側部位と、前記両側部位の間であって前記クロッチパネルの前後端縁に沿って延びる中央部位と、前記中央部位の前記縦方向内方に位置する非接合部位とを含み、前記弾性ウエストパネルの前記肌対向面および前記非肌対向面の少なくともいずれか一方には、前記非接合部位に重なって配置された吸湿部材が取り付けられ、前記吸湿部材は、不溶性の吸収性ポリマー粒子を含む芯材と、前記芯材を覆う被覆シートとを有し、前記吸収性ポリマー粒子によって形成された複数の吸収領域を前記横方向に離間させて配置するとともに、前記吸収領域の間には、前記吸収性ポリマー粒子が存在しない非吸収領域を形成してあることを特徴とする。
【発明の効果】
【０００８】
本発明に係る一つ以上の実施態様における使い捨て着用物品によれば、弾性ウエストパネルの肌対向面および非肌対向面の少なくともいずれか一方であって、クロッチパネルと重なる領域に、吸湿部材を取り付けることとしたので、着用物品内の湿度を低下させることができ、着用物品内における蒸れを予防することができる。
【図面の簡単な説明】
【０００９】
【図１】本発明における使い捨て着用物品の一例として示す、使い捨ておむつの斜視図。
【図２】おむつのサイドシーム部を剥離して前後方向に伸展した状態をその肌対向面から見た一部破断展開平面図。
【図３】おむつの分解斜視図。
【図４】図１のＩＶ−ＩＶ線に沿う模式的断面図。
【図５】後ウエストパネルを非肌対向面から見た一部破断平面図。
【発明を実施するための形態】
【００１０】
図１〜４を参照すれば、本発明の使い捨て着用物品の一例として示す使い捨ておむつ１０は、縦方向Ｙおよびそれに直交する横方向Ｘと、横方向Ｘにおける寸法を二等分する仮想縦中心線２−２と、縦方向Ｙにおける寸法を二等分する仮想横中心線３−３とを有する。おむつ１０は、仮想縦中心線２−２に関して対称に形成されている。
【００１１】
おむつ１０は、肌対向面およびそれに対向する非肌対向面と、環状の弾性ウエストパネルを構成する前後ウエストパネル２０，３０と、前後ウエストパネル２０，３０の非肌対向面に取り付けられたクロッチパネル４０と、前ウエスト域１１と、後ウエスト域１２と、前後ウエスト域１１，１２間を縦方向Ｙへ延びるクロッチ域１３とを含む。前ウエストパネル２０によって前ウエスト域１１が画定され、後ウエストパネル３０によって後ウエスト域１２が画定される。また、クロッチパネル４０の一部でクロッチ域１３が画定される。
【００１２】
前ウエストパネル２０は、横方向Ｘへ延びる外端縁２０Ａおよび内端縁２０Ｂと縦方向Ｙへ延びる両側縁２０Ｃとを有し、同様に、後ウエストパネル３０は、横方向Ｘへ延びる外端縁３０Ａおよび内端縁３０Ｂと縦方向Ｙへ延びる両側縁３０Ｃとを有する。前後ウエストパネル２０，３０は、ほぼ同形同大であって、それぞれ横長の矩形状にされる。クロッチパネル４０は、縦長の略矩形状であって、横方向Ｘへ延びる前端縁４０Ａと、前端縁４０Ａに対向する後端縁４０Ｂと、縦方向Ｙへ延びる両側縁４０Ｃとを有する。前端縁４０Ａが接合部７１を介して前ウエストパネル２０の非肌対向面（外面）に取り付けられ、後端縁４０Ｂが接合部７２を介して後ウエストパネル３０の非肌対向面に取り付けられる。前ウエストパネル２０の内端縁２０Ｂから後ウエストパネル３０の内端縁３０Ｂまでの間にクロッチ域１３が画定される。
【００１３】
前後ウエストパネル２０，３０の両側縁２０Ｃ，３０Ｃは、互いに重ね合わされて、縦方向Ｙへ延びる断続的な一連のサイドシーム部１４によって連結され、前後ウエストパネル２０，３０の外端縁２０Ａ，３０Ａによっておむつ１０のウエスト開口１５が画定され、内端縁２０Ｂ，３０Ｂによっておむつ１０のレッグ開口１６の一部が画定される。サイドシーム部１４は、公知の接合手段、例えば、熱エンボス加工、ソニック加工等の各種の熱溶着手段によって、縦方向Ｙへ断続的に溶着されることによって形成される。
【００１４】
前後ウエストパネル２０，３０は、肌対向面側に位置する内面シート２１，３１と、非肌対向面側に位置する外面シート２２，３２と、これらシート２１，２２および３１，３２の間に位置する防漏シート２３，３３とを有する。内外面シート２１，２２，３１，３２は、例えば、質量約１０〜３０ｇ／ｍ２の不透液性のＳＭＳ（スパンボンド・メルトブローン・スパンボンド）繊維不織布、スパンボンド繊維不織布、プラスチックシート、または、プラスチックシートといずれかの繊維不織布とのラミネートシートとから形成される。防漏シート２３，３３は、例えば、不透液性かつ通気性のプラスチックシートから形成される。
【００１５】
防漏シート２３，３３は、横方向Ｘへ延びるとともに縦方向Ｙ外方に位置する外端縁２３Ａ，３３Ａと、外端縁２３Ａ，３３Ａに対向する内端縁２３Ｂ，３３Ｂと、縦方向Ｙへ延びる両側縁２３Ｃ，３３Ｃとによって画定される。防漏シート２３，３３は、前後ウエストパネル２０，３０の横方向Ｘの中央であって、防漏シート２３，３３の内端縁２３Ｂ，３３Ｂと前後ウエストパネル２０，３０の内端縁２０Ｂ，３０Ｂとがそれぞれ一致するように取り付けられる。防漏シート２３，３３の横方向Ｘにおける寸法は、クロッチパネル４０のそれよりも小さくされて、両側縁２３Ｃ，３３Ｃが両側縁４０Ｃの横方向Ｘ内側に位置する。前ウエストパネル２０における防漏シート２３の外端縁２３Ａは、縦方向Ｙにおいてクロッチパネル４０の前端縁４０Ａよりも縦方向Ｙ内方に位置する。後ウエストパネル３０における防漏シート３３は、外端縁３３Ａがクロッチパネル４０の後端縁４０Ｂから縦方向Ｙ外方へ延出され、延出部３６が形成される。防漏シート２３，３３は、図示しないホットメルト接着剤等の公知の接合手段を介して内面シート２１，３１に接合される。
【００１６】
内外面シート２１，２２間および内外面シート３１，３２間には、横方向Ｘへ延びる複数条のストランド状又はストリング状のウエスト弾性体２４，３４が配設される。前後ウエストパネル２０，３０は、ウエスト弾性体２４，３４が配設されることによって少なくとも横方向Ｘへ伸縮可能に弾性化される。ウエスト弾性体２４，３４は、防漏シート２３，３３が存在する領域においては、防漏シート２３，３３と外面シート２２，３２との間にそれぞれ配設される。
【００１７】
内外面シート２１，２２および内外面シート３１，３２は、ウエスト弾性体２４，３４のほぼ全周面に塗布された図示しないホットメルト接着剤によって、互いに接着される。内外面シート２１，２２，３１，３２のほぼ全域に接着剤を塗布し、これらを互いに接着した場合に比べて、接着剤の塗布量を少なくすることができ、接着剤によって後ウエストパネル３０の剛性が高くなるのを予防することができる。ただし、内外面シート２１，２２および内外面シート３１，３２の全域に接着剤を塗布するものを排除するものではない。
【００１８】
前後ウエストパネル２０，３０には、ウエスト弾性体２４，３４の縦方向Ｙにおける離間寸法が他の領域よりも大きくされた大離間部２５，３５が形成される。大離間部２５，３５は、クロッチパネル４０の前後端縁４０Ａ，４０Ｂよりもそれぞれ縦方向Ｙ外方に位置する。大離間部２５，３５における縦方向Ｙにおける寸法は、約１０〜３５ｍｍ、好ましくは約２０〜３０ｍｍとされる。縦方向Ｙにおける寸法とは、大離間部２５，３５を画定する一方の弾性体の中心から、他方の弾性体の中心までの寸法（ピッチ）をいう。大離間部２５，３５以外の領域において、縦方向Ｙに互いに隣接する弾性体の縦方向Ｙにおける寸法は、約５〜１５ｍｍ、好ましくは約５〜１０ｍｍとされる。この実施形態において、太さ約５００〜１０００ｄｔｅｘの弾性体を用いることができ、約１．８〜３．０倍の伸長倍率で取り付けることができる。
【００１９】
前後ウエストパネル２０，３０に大離間部２５，３５をそれぞれ形成したので、おむつ１０の着用時、または、着用中に、着用者またはその世話人らがこの大離間部２５，３５に指を引っかけて、前ウエスト域１１または後ウエスト域１２を挟持して引き上げることができる。したがって、おむつ１０から指が滑らず、引き上げやすい。また、大離間部２５，３５がクロッチパネル４０の縦方向Ｙ外方に位置し、すなわち、クロッチパネル４０には重ならないことによって、これら大離間部２５，３５の柔軟性を維持することができるので、より一層指を引っ掛けやすくすることができる。
【００２０】
前ウエストパネル２０は、外端縁２０Ａおよび内端縁２０Ｂに沿って、複数の溶着部２７，２８を有し、同様に、後ウエストパネル３０も、外端縁３０Ａおよび内端縁３０Ｂに沿って複数の溶着部３７，３８を有する。溶着部２７，２８および３７，３８は、横方向Ｘへ断続的に位置し、内外面シート２１，２２および内外面シート３１，３２を部分的に溶着し、接合する。溶着部２７，２８および３７，３８は、公知の接合手段、例えば、熱エンボス加工、ソニック加工等の各種の熱溶着手段によって形成される。内外面シート２１，２２および内外面シート３１，３２は、ウエスト弾性体２４，３４の周面にある接着剤によってのみ互いに接着しているから、特に外端縁２０Ａ，３０Ａ、内端縁２０Ｂ，３０Ｂにおいて、これら内外面シートが互いに剥離し、シートの間に着用者の指等が引っかかる可能性がある。しかし、溶着部２７，３７によって、溶着されているので、これら剥離を防止し、指等の引っかかりを未然に防止することができる。
【００２１】
前後ウエストパネル２０，３０の外面シート２２，３２には、接合されたクロッチパネル４０の前後端縁４０Ａ，４０Ｂを覆うようにこれらに重なって、カバーシート８１，８２が取り付けられる。カバーシート８１，８２は、それぞれ横長の矩形状にされ、その両側縁はサイドシーム部１４によって、内外面シート２１，２２および内外面シート３１，３２とともに互いに接合される。カバーシート８１，８２の縦方向Ｙにおける寸法は、内外面シート２１，２２および内外面シート３１，３２のそれよりも小さくされる。カバーシート８１，８２は、例えば、質量約１０〜３０ｇ／ｍ２の不透液性のＳＭＳ（スパンボンド・メルトブローン・スパンボンド）繊維不織布またはスパンボンド繊維不織布によって形成することができる。
【００２２】
カバーシート８１，８２は、大離間部２５，３５に重なって、外面シート２２，２３に接着される。したがって、大離間部２５，３５に位置する、内外面シート２１，２２および内外面シート３１，３２を補強することができ、大離間部２５，３５に指を引っかけておむつ１０を引き上げた場合に、この大離間部２５，３５が破れるのを予防することができる。また、後ウエストパネル３０の大離間部３５には、防漏シート３３の延出部３６が重なる。したがって、延出部３６が重なった領域では、より一層大離間部３５を補強することができ、引き上げ時の破れを予防することができる。カバーシート８１，８２は、図示しないホットメルト接着剤等の公知の接着手段によって接着されるとともに、接着剤は、それらシートのほぼ全域に間欠的に塗布される。
【００２３】
クロッチパネル４０は、ベースシート４３と、ベースシート４３の肌対向面（内面）に配置された吸液構造体４４と、吸液構造体４４を被覆する透液性シートから形成された身体側ライナ４５とを有する。
【００２４】
ベースシート４３は、少なくとも一方が不透液性の繊維不織布シート又はプラスチックフィルムから形成された内外面クロッチシート４６，４７によって形成される。また、内外面クロッチシート４６，４７は、両シート４６，４７のうちのいずれか一方のシートの内面に塗布されたホットメルト接着剤（図示せず）を介して互いに接合され、それらの両側部は、内方へ折り曲げられて、縦方向Ｙへ延びるガスケット機能を有する一対の弾性サイドフラップ４８が形成される。
【００２５】
弾性サイドフラップ４８には、縦方向Ｙへ延びる複数条のストランド状又はストリング状からなる第１レッグ弾性体５１と第２レッグ弾性体５２とが配設され、少なくとも縦方向Ｙにおいて弾性化される。具体的には、第２レッグ弾性体５２と弾性サイドフラップ４８の内側縁４９との間に第１レッグ弾性体５１が配設され、第１レッグ弾性体５１は内側縁４９に沿って縦方向Ｙへ直状に延び、第２レッグ弾性体５２は、仮想横中心線３−３近傍において第１レッグ弾性体５１に向かって凸に湾曲して、着用者の大腿を囲む方向へ延びる。第１および第２レッグ弾性体５１，５２は、前記の内外面クロッチシート４６，４７のうちのいずれか一方の内面に塗布されたホットメルト接着剤（図示せず）を介して両シート４６，４７間に縦方向Ｙに伸長された状態で固定される。
【００２６】
おむつ１０の着用時において、第１レッグ弾性体５１の収縮力によって弾性サイドフラップ４８の内側縁４９近傍が、着用者の大腿部に密着し、レッグ開口１６からの排泄物の横漏れを防止することができる。また、第２レッグ弾性体５２が、仮想横中心線３−３近傍におけるその中央部で湾曲し第１レッグ弾性体５１に接近しているので、これらが離間した部分に比べて着用者の大腿部に密着し易くなり、レッグ開口１６からの排泄物の横漏れをより効果的に防止することができる。
【００２７】
身体側ライナ４５は、好ましくは親水化処理された、質量約１５〜３５ｇ／ｍ２の透液性を有する繊維不織布シートであって、例えば、スパンボンド繊維不織布、ポイントボンド繊維不織布およびエアスルー不織布等各種公知の繊維不織布から形成することができる。
【００２８】
吸液構造体４４は、不溶性かつ自己質量の１０倍以上の吸水力を有するいわゆる吸収性ポリマー粒子から形成された吸収性コアを、質量約８〜１５ｇ／ｍ２、好ましくは、質量約１０ｇ／ｍ２の透水性の繊維不織布から形成された被覆シートで覆って構成される。吸収性ポリマー粒子が体液を吸収した後にその形状が型崩れするのを防止するために、吸収性コアを複数の吸収域に区分することができる。なお、吸収性コアは、吸収性ポリマー粒子のほかに、フラッフパルプ等の公知の吸収性材料を含むものであってもよい。また、吸液構造体４４は、図示しない公知の接着手段を介してベースシート４３の内面に固定されている。吸液構造体４４は、その全域でベースシート４３に接合されるようにしてもよいし、その一部、特に前後端縁のみが接合されるようにしてもよい。
【００２９】
上記のようなおむつ１０には、前後ウエストパネル２０，３０の内端縁２０Ｂ，３０Ｂ近傍と、クロッチパネル４０とによって囲まれた排泄物収容スペース５４が形成される。クロッチパネル４０は、前後ウエストパネル２０，３０の外面に取り付けられるが、それらを前後ウエストパネル２０，３０の内面に取り付ける場合に比して、排泄物収容スペース５４を大きく形成することができる。なお、排泄物収容スペースが所要の大きさを有する限りにおいて、前後ウエスト域１１，１２のうちのいずれか一方のみが前後ウエストパネル２０，３０の外面に取り付けられていればよい。また、吸液構造体４４は比較的に薄いものであるから、おむつ１０は、この種の他の物品に比して大容量の排泄物収容スペース５４を有し、比較的に多量の排泄物を保持することができるとともに、着用者の臀部から離間した状態でクロッチパネル４０が吊持されて袋状となり、排泄物によって着用者の臀部が汚れるのを抑えることができる。
【００３０】
クロッチパネル４０を前後ウエストパネル２０，３０に接合する接合部７１，７２は、クロッチ域１３に向かって開口した凹状を有し、それぞれ、弾性サイドフラップ４８の肌対向面にホットメルト接着剤を塗布して形成された両側部位７３，７４と、両側部位間において、横方向Ｘへ延びる中央部位７５，７６とを有する。中央部位７５，７６は、吸液構造体４４よりも縦方向Ｙ外方に位置しており、両側部位７３，７４と中央部位７５，７６との間には、ホットメルト接着剤が塗布されていない非接合部位７７，７８が画定される。なお、本実施形態において、前ウエスト域１１における接合部７１の両側部位７３は段差状、後ウエスト域１２における接合部７２の両側部位７４は矩形状を有しているが、それらの形状に制限されるものではなく、両側部位７３，７４は、段差状、矩形状、曲状などの各種の形状を有していてもよい。
【００３１】
接合部７１，７２に非接合部位７７，７８が画定されることによって、前後ウエストパネル２０，３０とクロッチパネル４０との間においてポケット（空間部）５５，５６が形成される。ポケット５５，５６が形成されることによってクロッチパネル４０内に画定される排泄物収容スペース５４をより大きくすることができる。また、ポケット５５，５６は、接合部７１，７２によってクロッチパネル４０と前後ウエストパネル２０，３０とが接合されることによって、これらポケット５５，５６から排泄物が漏れるのを予防することができる。
【００３２】
図５を参照すれば、後ウエストパネル３０の外面シート３２には、吸湿部材９０が取り付けられる。吸湿部材９０は、非接合部位７８に重なるように、すなわち、ポケット５６内に配置される。吸湿部材９０は、芯材９１と、芯材９１を覆う被覆シート９２とを有する。例えば、芯材９１として、質量約１０〜３００ｇ／ｍ２の不溶性の吸収性ポリマー粒子を用いることができる。被覆シート９２としては、質量約８〜１５ｇ／ｍ２、好ましくは、質量約１０ｇ／ｍ２の透水性の繊維不織布を用いることができる。吸湿部材９０は、図示しないホットメルト接着剤等の公知の接着手段を用いて、外面シート３２に接合される。なお、図５では、後ウエストパネル３０のみを示し、これについて説明しているが、同様に、前ウエストパネル２０においても、その外面シート２２に吸湿部材９０が取り付けられる。また、吸湿部材９０は、非接合部位７７，７８に重なるように配置されているが、その全てが非接合部位７７，７８に重なるようにしてもよいし、非接合部位７７，７８から横方向Ｘ外側へ延出するようにしてもよい。
【００３３】
芯材９１として吸収性ポリマー粒子を用いた場合には、例えば、吸収性ポリマー粒子によって形成された複数の吸収領域９３を横方向Ｘに離間させて配置するとともに、これら吸収領域９３の間には、吸収性ポリマー粒子が存在しない非吸収領域９４を形成することができる。芯材９１の上下面を覆う被覆シート９２は、その周囲と、非吸収領域９４とで互いに接合される。このように接合されることで複数の区画された領域が形成され、この区画された領域において吸収性ポリマー粒子が保持されて複数の吸収領域９３が形成される。吸収性ポリマー粒子が、非吸収領域９４によって横方向Ｘにおいて分断されることによって、水分が吸収性ポリマー粒子に吸収された場合であっても、非吸収領域９４を境に吸湿部材９０が折れ曲がりやすく、着用者の身体に沿うことができる。また、非吸収領域９４は、着用者に密着し難く、着用者の身体との間に空隙が形成されるから、この空隙をおむつ内の空気が通り抜け、蒸れを予防することもできる。なお、吸収領域９３間に位置する非吸収領域９４は、必須の構成ではなく、吸湿部材９０の全体に吸収性ポリマー粒子等の芯材９１が分布しているものであってもよい。また、縦方向Ｙに離間して吸収領域９３が存在し、非吸収領域９４が横方向Ｘに延びていてもよい。
【００３４】
ポケット５５，５６は、前後ウエストパネル２０，３０の防漏シート２３，３３およびクロッチパネル４０のベースシート４３によって画定され、これらポケット外へと尿等の体液が漏れるのを防止している。したがって、ポケット５５，５６を画定する各シートでは、通気性が低下し、これらポケット５５，５６内では、湿度が上がりやすく、蒸れの原因となる。しかし、ポケット５５，５６を画定する外面シート２２，３２には、吸湿部材９０を取り付けるので、これらポケット内の湿度の上昇を抑制することができ、蒸れを予防することができる。
【００３５】
また、吸湿部材９０の芯材９１として吸収性ポリマー粒子を用いているので、仮に尿等がポケット５５，５６に流入したとしてもこれを吸収、保持することができる。すなわち、クロッチパネル４０における尿等の吸収容量を実質的に大きくすることもできる。
【００３６】
吸湿部材９０としては、芯材９１として吸収性ポリマー粒子を用いているが、フラッフパルプ等を用いることもできる。また、吸湿部材９０として、例えば、質量約１０〜５０ｇ／ｍ２のスパンレース繊維不織布、親水性のスパンボンド繊維不織布、エアスルー繊維不織布、または、親水性のＳＭＳ繊維不織布等の吸湿性を有する繊維不織布、好ましくは、質量約４５ｇ／ｍ２のスパンレース繊維不織布を用いることもできる。このように繊維不織布を吸湿部材９０として用いた場合には、芯材を必要としないから、部品点数を減らすことができるとともに、厚さ方向における寸法を小さくすることもできる。
【００３７】
吸湿部材９０は、外面シート２２，３２に接合されているが、内面シート２１，３１に接合することもできる。この場合には、吸湿部材９０は、内面シート２１，３１を介して防漏シート２３，３３に重なって配置される。防漏シート２３，３３が配置された領域では、通気性が低下しやすいから、蒸れやすくなるが、これら防漏シート２３，３３に重なって吸湿部材９０が配置されることによって、着用者の肌と前後ウエストパネル２０，３０との間の水分を吸収することができる。したがって、おむつ内の蒸れを予防することができる。特に、内面シート２１，３１は、着用者の肌に対向するから、着用者の汗等を直接吸収することもできる。
【００３８】
おむつ１０を構成する各構成部材には、本明細書に記載されている材料のほかに、この種の物品において通常用いられている各種の公知の材料を制限なく用いることができる、また、本発明の明細書および特許請求の範囲において、「第１」および「第２」の用語は、同様の要素、位置などを単に区別するために用いられている。
【００３９】
以上に記載した本発明に関する開示は、少なくとも下記事項に要約することができる。
本発明は、以下の使い捨て着用物品１０の改良にかかわる。着用物品１０は、縦方向Ｙおよびそれに直交する横方向Ｘを有し、肌対向面およびその反対側に位置する非肌対向面と、前ウエスト域１１と、後ウエスト域１２と、前記前後ウエスト域１１，１２間に位置するクロッチ域１３と、前記前後ウエスト域１１，１２を画定する弾性ウエストパネル２０，３０と、前記弾性ウエストパネル２０，３０に取り付けられ、前記前後ウエスト域１１，１２の一部および前記クロッチ域１３を画定するクロッチパネル４０とを含む。
【００４０】
本発明は、上記使い捨て着用物品１０において、以下の点を特徴とする。
前記クロッチパネル４０は、少なくとも前記横方向Ｘへ延びる前後端縁４０Ａ，４０Ｂが、接合部７１，７２を介して前記弾性ウエストパネル２０，３０の前記非肌対向面にそれぞれ取り付けられる。
前記弾性ウエストパネル２０，３０の前記肌対向面および前記非肌対向面の少なくともいずれか一方には、前記クロッチパネル４０の接合された領域に重なって、吸湿部材９０が取り付けられる。
【００４１】
上記本発明は、少なくとも下記の実施の形態を含むことができる。
（１）前記接合部７１，７２は、前記クロッチパネル４０の両側縁４０Ｃに沿って延びる両側部位７３，７４と、前記両側部位７３，７４の間であって前記クロッチパネル４０の前後端縁４０Ａ，４０Ｂに沿って延びる中央部位７５，７６と、前記中央部位７５，７６の前記縦方向Ｙ内方に位置する非接合部位７７，７８とを含み、前記吸湿部材９０は、前記非接合部位７７，７８に重なって配置される。
（２）前記吸湿部材９０は、不溶性の吸収性ポリマー粒子を含む芯材９１と、前記芯材９１を覆う被覆シート９２とを有する。
（３）前記クロッチパネル４０には、その両側部が前記横方向Ｘ内方へ折り曲げられて、前記縦方向Ｙへ延びる一対のサイドフラップ４８が形成され、前記吸湿部材９０は、前記一対のサイドフラップ４８の間に配置される。
（４）前記サイドフラップ４８には、前記縦方向Ｙへ収縮可能なレッグ弾性体５１，５２が取り付けられる。
（５）前記弾性ウエストパネル２０，３０は、前記肌対向面に位置する内面シート２１，３１と、前記非肌対向面に位置する外面シート２２，３２と、前記内外面シート２１，２２，３１，３２の間に配置された防漏シート２３，３３とを有し、前記吸湿部材９０は、前記防漏シート２３，３３と重なる位置に配置される。
【符号の説明】
【００４２】
１０    使い捨て着用物品（使い捨ておむつ）
１１    前ウエスト域
１２    後ウエスト域
１３    クロッチ域
２０    前ウエストパネル（弾性ウエストパネル）
２１    内面シート
２２    外面シート
２３    防漏シート
３０    後ウエストパネル
３１    内面シート
３２    外面シート
３３    防漏シート
４０    クロッチパネル
４０Ａ  前端縁
４０Ｂ  後端縁
４８    弾性サイドフラップ（サイドフラップ）
７１    接合部
７２    接合部
７３    両側部位
７４    両側部位
７５    中央部位
７６    中央部位
７７    非接合部位
７８    非接合部位
９０    吸湿部材
９１    芯材
９２    被覆シート
【図１】
0005933251.tif 000002
【図２】
0005933251.tif 000003
【図３】
0005933251.tif 000004
【図４】
0005933251.tif 000005
【図５】
0005933251.tif 000006